(57)【要約】【課題】「Ｖａｌｕｅ  ｔａｇ」のビット数の増加による無線リソースに対する影響を最小限に抑えつつ、報知情報の変更可能回数を増やす。【解決手段】本発明に係る移動局ＵＥは、複数のビットからなるタグ情報を含む報知情報を生成する報知情報生成部１１を具備し、タグ情報の値は、複数の第１ビットの値のみによって規定されるか、或いは、複数の第１ビットの値及び第２ビットの値によって規定されるかのいずれかであり、複数の第１ビットは、タグ情報に第２ビットが含まれているか否かについて示すフラグを含み、報知情報生成部１１は、報知情報の内容を更新する度に、タグ情報の値を更新する。【選択図】図４
2010045552.tif 000002
【特許請求の範囲】
【請求項１】
複数のビットからなるタグ情報を含む報知情報を生成するように構成されている報知情報生成部と、
前記報知情報を送信するように構成されている報知情報送信部とを具備し、
前記タグ情報の値は、複数の第１ビットの値のみによって規定されるか、或いは、該複数の第１ビットの値及び第２ビットの値によって規定されるかのいずれかであり、
前記複数の第１ビットは、前記タグ情報に前記第２ビットが含まれているか否かについて示すフラグを含み、
前記報知情報生成部は、前記報知情報の内容を更新する度に、前記タグ情報の値を更新するように構成されていることを特徴とする無線基地局。
【請求項２】
前記報知情報生成部は、前記報知情報の内容を更新する度に、前記タグ情報の値を、順番に増加又は減少させていくように構成されていることを特徴とする請求項１に記載の無線基地局。
【請求項３】
前記フラグは、前記複数の第１ビット内の最下位ビットであり、
前記フラグの値には、前記タグ情報に前記第２ビットが含まれている場合に「１」が設定され、該タグ情報に該第２ビットが含まれていない場合に「０」が設定され、
前記報知情報生成部は、前記第１ビットのみを含むタグ情報の値については、前記第１ビット及び前記第２ビットを含むタグ情報における該第２ビットに対応する部分のビットに「０」が設定されているものとして、前記タグ情報の値を更新するように構成されていることを特徴とする請求項２に記載の無線基地局。
【請求項４】
前記フラグは、前記複数の第１ビット内の最上位ビットであることを特徴とする請求項２に記載の無線基地局。
【請求項５】
前記報知情報送信部は、ＳＩＢ１によって、前記タグ情報を送信するように構成されており、
前記報知情報生成部は、ＭＩＢ及び前記ＳＩＢ１の内容が更新された場合であっても、前記タグ情報の値を更新しないように構成されていることを特徴とする請求項１に記載の無線基地局。
【請求項６】
前記第２ビットは、前記複数のビット内で、前記複数の第１ビットよりも下位に位置することを特徴とする請求項１に記載の無線基地局。
【請求項７】
報知情報を受信するように構成されている報知情報受信部と、
受信した所定報知情報に含まれるタグ情報の値が更新されているか否かについて確認するように構成されている確認部とを具備し、
前記タグ情報の値は、複数の第１ビットの値のみによって規定されるか、或いは、該複数の第１ビットの値及び第２ビットの値によって規定されるかのいずれかであり、
前記複数の第１ビットは、前記タグ情報に前記第２ビットが含まれているか否かについて示すフラグを含み、
前記確認部は、前記所定報知情報に含まれている第１パラメータの値を前記フラグ以外の第１ビットに設定し、該所定報知情報に第２パラメータが含まれているか否かに基づいて該フラグの値を設定し、該第２パラメータの値を前記第２ビットに設定することによって、前記タグ情報の値を算出するように構成されており、
前記報知情報受信部は、前記タグ情報の値が更新されていることが確認された場合、残りの報知情報を受信するように構成されていることを特徴とする移動局。
【請求項８】
前記第２ビットは、前記複数のビット内で、前記複数の第１ビットよりも下位に位置することを特徴とする請求項７に記載の移動局。
【発明の詳細な説明】
【技術分野】
【０００１】
本発明は、無線基地局及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、無線基地局ｅＮＢによって送信される報知情報内に「Ｖａｌｕｅ  ｔａｇ」が含まれるように構成されている。かかる「Ｖａｌｕｅ  ｔａｇ」は、報知情報が更新される度に増加されるように構成されている。
【０００３】
また、ＬＴＥ方式の移動通信システムでは、「Ｖａｌｕｅ  ｔａｇ」は、ＳＩＢ１（Ｓｙｓｔｅｍ  Ｉｎｆｏｒｍａｔｉｏｎ  Ｂｌｏｃｋ  １）によって送信されるように構成されている。
【０００４】
また、「Ｖａｌｕｅ  ｔａｇ」は、ＳＩＢ２以降の報知情報のバージョン情報を表すものであるため、ＭＩＢ及びＳＩＢ１が更新された場合であっても増加されないように構成されている。
【０００５】
また、図１に示すように、セル＃１において待ち受けを行っていた移動局ＵＥが、セル＃２に移動した後に、再び、セル＃１に戻ってきた場合であっても、６時間以内であれば、セル＃１において、「Ｖａｌｕｅ  ｔａｇ」が更新されていない報知情報を受信した場合には、最新の報知情報を受信済みであると認識するように構成されている。
【非特許文献１】３ＧＰＰ  Ｒ２-０８３７９５
【発明の開示】
【発明が解決しようとする課題】
【０００６】
しかしながら、ＬＴＥ方式の移動通信システムでは、「Ｖａｌｕｅ  ｔａｇ」は、４ビット長であるため、６時間以内に、最大１６回までしか報知情報を変更できないという問題点があった。
【０００７】
そこで、本発明は、上述の課題に鑑みてなされたものであり、「Ｖａｌｕｅ  ｔａｇ」のビット数の増加による無線リソースに対する影響を最小限に抑えつつ、報知情報の変更可能回数を増やすことができる無線基地局及び移動局を提供することを目的とする。
【課題を解決するための手段】
【０００８】
本発明の第１の特徴は、複数のビットからなるタグ情報を含む報知情報を生成するように構成されている報知情報生成部と、前記報知情報を送信するように構成されている報知情報送信部とを具備し、前記タグ情報の値は、複数の第１ビットの値のみによって規定されるか、或いは、該複数の第１ビットの値及び第２ビットの値によって規定されるかのいずれかであり、前記複数の第１ビットは、前記タグ情報に前記第２ビットが含まれているか否かについて示すフラグを含み、前記報知情報生成部は、前記報知情報の内容を更新する度に、前記タグ情報の値を更新するように構成されていることを要旨とする。
【０００９】
本発明の第２の特徴は、移動局であって、報知情報を受信するように構成されている報知情報受信部と、受信した所定報知情報に含まれるタグ情報の値が更新されているか否かについて確認するように構成されている確認部とを具備し、前記タグ情報の値は、複数の第１ビットの値のみによって規定されるか、或いは、該複数の第１ビットの値及び第２ビットの値によって規定されるかのいずれかであり、前記複数の第１ビットは、前記タグ情報に前記第２ビットが含まれているか否かについて示すフラグを含み、前記確認部は、前記所定報知情報に含まれている第１パラメータの値を前記フラグ以外の第１ビットに設定し、該所定報知情報に第２パラメータが含まれているか否かに基づいて該フラグの値を設定し、該第２パラメータの値を前記第２ビットに設定することによって、前記タグ情報の値を算出するように構成されており、前記報知情報受信部は、前記タグ情報の値が更新されていることが確認された場合、残りの報知情報を受信するように構成されていることを要旨とする。
【発明の効果】
【００１０】
以上説明したように、本発明によれば、「Ｖａｌｕｅ  ｔａｇ」のビット数の増加による無線リソースに対する影響を最小限に抑えつつ、報知情報の変更可能回数を増やすことができる無線基地局及び移動局を提供することができる。
【発明を実施するための最良の形態】
【００１１】
（本発明の第１の実施形態に係る移動通信システム）
図１乃至図５を参照して、本発明の第１の実施形態に係る移動通信システムについて説明する。
【００１２】
図１に示すように、本実施形態に係る移動通信システムは、ＬＴＥ（Ｌｏｎｇ  Ｔｅｒｍ  Ｅｖｏｌｕｔｉｏｎ）方式の移動通信システムであって、各無線基地局ｅＮＢ＃１及び＃２が、各セル＃１及び＃２において、報知情報を送信するように構成されている。
【００１３】
具体的には、図２に示すように、無線基地局ｅＮＢは、報知情報生成部１１と、報知情報送信部１２とを具備している。
【００１４】
報知情報生成部１１は、複数のビットからなる「Ｖａｌｕｅ  ｔａｇ（タグ情報）」を含む報知情報を生成するように構成されている。
【００１５】
ここで、図３に示すように、「Ｖａｌｕｅ  ｔａｇ」の値は、複数の第１ビット（第１領域及びフラグのビット）の値のみによって規定されるか、或いは、複数の第１ビットの値（第１領域及びフラグのビット）及び複数のビット内で複数の第１ビットよりも下位に位置する第２ビット（第２領域のビット）の値によって規定されるかのいずれかである。
【００１６】
なお、「Ｖａｌｕｅ  ｔａｇ」を構成する複数のビット内で、複数の第１ビットの値が、第２ビットよりも下位に位置していてもよい。
【００１７】
すなわち、「Ｖａｌｕｅ  ｔａｇ」は、第１領域及びフラグのみによって構成されていてもよいし第１領域と第２領域とフラグとによって構成されていてもよい。
【００１８】
また、複数の第１ビットは、「Ｖａｌｕｅ  ｔａｇ」に第２ビットが含まれているか否かについて示すフラグ（図３における斜線部のビット）を含むように構成されている。
【００１９】
図３の例では、フラグは、複数の第１ビット内の最下位ビットであり、フラグの値には、「Ｖａｌｕｅ  ｔａｇ」に第２ビットが含まれている場合に「１」が設定され、「Ｖａｌｕｅ  ｔａｇ」に第２ビットが含まれていない場合に「０」が設定されるように構成されている。
【００２０】
ここで、報知情報生成部１１は、報知情報の内容を更新する度に、「Ｖａｌｕｅ  ｔａｇ」の値を更新するように構成されている。
【００２１】
例えば、報知情報生成部１１は、報知情報の内容を更新する度に、「Ｖａｌｕｅ  ｔａｇ」の値を、順番に増加又は減少させていくように構成されている。なお、報知情報生成部１１は、報知情報の内容を更新する度に、「Ｖａｌｕｅ  ｔａｇ」の値を、所定ルールに基づいて更新するように構成されていてもよい。
【００２２】
また、報知情報生成部１１は、報知情報のうち、ＭＩＢ及びＳＩＢ１の内容が更新された場合には、「Ｖａｌｕｅ  ｔａｇ」の値を更新しないように構成されていてもよい。
【００２３】
図３の例では、報知情報生成部１１は、第１ビットのみを含む「Ｖａｌｕｅ  ｔａｇ（例えば、Ａ１やＡ２）」の値については、第１ビット及び第２ビットを含む「Ｖａｌｕｅ  ｔａｇ（例えば、Ｂ１〜Ｂ５）」における第２ビットに対応する部分（すなわち、第２領域）のビットに「０」が設定されているものとして、「Ｖａｌｕｅ  ｔａｇ」の値を更新するように構成されている。
【００２４】
例えば、「Ｖａｌｕｅ  ｔａｇ  ＃Ａ１」の値は「０」であり、「Ｖａｌｕｅ  ｔａｇ  ＃Ａ２」の値は「２」である。一方、「Ｖａｌｕｅ  ｔａｇ  ＃Ｂ１」の値は「１６」であり、「Ｖａｌｕｅ  ｔａｇ  ＃Ｂ２」の値は「３１」であり、「Ｖａｌｕｅ  ｔａｇ  ＃Ｂ３」の値は「４８」であり、「Ｖａｌｕｅ  ｔａｇ  ＃Ｂ４」の値は「６３」であり、「Ｖａｌｕｅ  ｔａｇ  ＃Ｂ５」の値は「２５５」である。
【００２５】
したがって、報知情報生成部１１は、報知情報の内容を更新する度に、「Ａ１」→「Ｂ１」→…→「Ｂ２」→「Ａ２」→「Ｂ３」→…→「Ｂ４」→…→「Ｂ５」というように、「Ｖａｌｕｅ  ｔａｇ」の値を順番に増加させていくように構成されている。
【００２６】
報知情報送信部１２は、報知情報生成部１１によって生成された報知情報を送信するように構成されている。具体的には、報知情報送信部１２は、ＳＩＢ１によって、８０ｍｓ周期で、報知情報生成部１１によって生成された報知情報を送信するように構成されていてもよい。
【００２７】
例えば、図４に示すように、報知情報送信部１２は、ＳＩＢ１内で、第１パラメータ「ｖａｌｕｅＴａｇ１ｓｔ」内に第１ビットを含め、第２パラメータ「ｖａｌｕｅＴａｇ２ｎｄ」内に第２ビットを含めるように構成されている。
【００２８】
図３に示すように、移動局ＵＥは、報知情報受信部２１と、ＶＴ記憶部２２と、ＶＴ確認部２３とを具備している。
【００２９】
報知情報受信部２１は、各セルにおいて送信されている報知情報（例えば、ＭＩＢ、ＳＩＢ１〜ＳＩＢ８）を受信するように構成されている。具体的には、報知情報受信部２１は、ＭＩＢ及びＳＩＢ１を受信してＶＴ確認部２３に転送し、ＶＴ確認部２３からの通知に応じて、残りの報知情報（ＳＩＢ１〜ＳＩＢ８）を受信するように構成されている。
【００３０】
ＶＴ記憶部２２は、報知情報受信部２１によって受信された最新の報知情報に含まれていた「Ｖａｌｕｅ  ｔａｇ」の値を記憶するように構成されている。
【００３１】
ＶＴ確認部２３は、受信した所定報知情報（例えば、ＳＩＢ１）に含まれる「Ｖａｌｕｅ  ｔａｇ」の値が更新されているか否かについて確認するように構成されている。
【００３２】
ここで、ＶＴ確認部２３は、受信した所定報知情報（例えば、ＳＩＢ１）に含まれる「Ｖａｌｕｅ  ｔａｇ」の値が更新されていることを確認した場合、その旨を、報知情報受信部２１に通知するように構成されている。
【００３３】
また、ＶＴ確認部２３は、所定報知情報（例えば、ＳＩＢ１）に含まれている第１パラメータ「ｖａｌｕｅＴａｇ１ｓｔ」の値をフラグ以外の第１ビット（第１領域のビット）に設定し、所定報知情報（例えば、ＳＩＢ１）に第２パラメータ「ｖａｌｕｅＴａｇ２ｎｄ」が含まれているか否かに基づいてフラグの値を設定し、第２パラメータ「ｖａｌｕｅＴａｇ２ｎｄ」の値を第２ビット（第２領域のビット）に設定することによって、「Ｖａｌｕｅ  ｔａｇ」の値を算出するように構成されている。
【００３４】
以下、図６を参照して、本発明の第１の実施形態に係る移動局の動作について説明する。
【００３５】
図６に示すように、ステップＳ１０１において、移動局ＵＥは、受信したＳＩＢ１に含まれる第１パラメータ「ｖａｌｕｅＴａｇ１ｓｔ」の値を、「Ｖａｌｕｅ  ｔａｇ」内の第１ビットにおける１〜３番目のビット（すなわち、第１領域のビット）に設定する。
【００３６】
ステップＳ１０２において、移動局ＵＥは、ＳＩＢ１内に、第２パラメータ「ｖａｌｕｅＴａｇ２ｎｄ」が含まれているか否かについて判定する。
【００３７】
第２パラメータ「ｖａｌｕｅＴａｇ２ｎｄ」が含まれていないと判定された場合、ステップＳ１０３において、移動局ＵＥは、「Ｖａｌｕｅ  ｔａｇ」内の残りのビットに「０」を設定する。
【００３８】
一方、第２パラメータ「ｖａｌｕｅＴａｇ２ｎｄ」が含まれていると判定された場合、移動局ＵＥは、ステップＳ１０４において、「Ｖａｌｕｅ  ｔａｇ」内の第１ビットにおける４番目のビット（すなわち、フラグのビット）に「１」を設定し、ステップＳ１０５において、ＳＩＢ１に含まれる第２パラメータ「ｖａｌｕｅＴａｇ２ｎｄ」の値を、「Ｖａｌｕｅ  ｔａｇ」内の第２ビット（第２領域のビット）に設定する。
【００３９】
本発明の第１の実施形態に係る移動通信システムによれば、移動通信システムにおける輻輳時に規制を適用したい場合や、送信電力制御関連のパラメータ等を頻繁に変更する必要がある場合に、「Ｖａｌｕｅ  ｔａｇ」のビット数の増加による無線リソースに対する影響を最小限に抑えつつ、報知情報の変更可能回数を増やすことができる。
【００４０】
（変更例１）
図７及び図８を参照して、本発明の変更例１に係る移動通信システムについて説明する。以下、変更例１に係る移動通信システムについて、上述の第１の実施形態に係る移動通信システムとの相違点に着目して説明する。
【００４１】
図７の例では、フラグは、複数の第１ビット内の最上位ビットであり、フラグの値には、「Ｖａｌｕｅ  ｔａｇ」に第２ビットが含まれている場合に「１」が設定され、「Ｖａｌｕｅ  ｔａｇ」に第２ビットが含まれていない場合に「０」が設定されるように構成されている。
【００４２】
図７の例では、報知情報生成部１１は、第１ビットのみを含む「Ｖａｌｕｅ  ｔａｇ（例えば、Ｃ１〜Ｃ２）」の値については、第１ビット及び第２ビットを含む「Ｖａｌｕｅ  ｔａｇ（例えば、Ｄ１〜Ｄ３）」における第２ビットに対応する部分（すなわち、第２領域）のビットに「０」が設定されているものとして、「Ｖａｌｕｅ  ｔａｇ」の値を更新するように構成されている。
【００４３】
例えば、「Ｖａｌｕｅ  ｔａｇ  ＃Ｃ１」の値は「０」であり、「Ｖａｌｕｅ  ｔａｇ  ＃Ｃ２」の値は「７」である。一方、「Ｖａｌｕｅ  ｔａｇ  ＃Ｄ１」の値は「１２８」であり、「Ｖａｌｕｅ  ｔａｇ  ＃Ｄ２」の値は「１２９」であり、「Ｖａｌｕｅ  ｔａｇ  ＃Ｄ３」の値は「２５５」である。
【００４４】
したがって、報知情報生成部１１は、報知情報の内容を更新する度に、「Ｃ１」→…→「Ｃ２」→「Ｄ１」→「Ｄ２」→…→「Ｄ３」というように、「Ｖａｌｕｅ  ｔａｇ」の値を順番に増加させていくように構成されている。
【００４５】
以下、図８を参照して、本発明の変更例１に係る移動局の動作について説明する。
【００４６】
図８に示すように、ステップＳ２０１において、移動局ＵＥは、受信したＳＩＢ１内に、第２パラメータ「ｖａｌｕｅＴａｇ２ｎｄ」が含まれているか否かについて判定する。
【００４７】
第２パラメータ「ｖａｌｕｅＴａｇ２ｎｄ」が含まれていないと判定された場合、ステップＳ２０２において、移動局ＵＥは、「Ｖａｌｕｅ  ｔａｇ」内の第１ビットにおける１番目のビット（フラグのビット）に「０」を設定する。
【００４８】
ステップＳ２０３において、移動局ＵＥは、ＳＩＢ１に含まれる第１パラメータ「ｖａｌｕｅＴａｇ１ｓｔ」の値を、「Ｖａｌｕｅ  ｔａｇ」内の第１ビットにおける２〜４番目のビット（第１領域のビット）に設定する。
【００４９】
ステップＳ２０４において、移動局ＵＥは、「Ｖａｌｕｅ  ｔａｇ」内の残りのビットに「０」を設定する。
【００５０】
一方、第２パラメータ「ｖａｌｕｅＴａｇ２ｎｄ」が含まれていると判定された場合、移動局ＵＥは、ステップＳ２０５において、「Ｖａｌｕｅ  ｔａｇ」内の第１ビットにおける１番目のビット（すなわち、フラグのビット）に「１」を設定し、ステップＳ２０６において、ＳＩＢ１に含まれる第１パラメータ「ｖａｌｕｅＴａｇ１ｓｔ」の値を、「Ｖａｌｕｅ  ｔａｇ」内の第１ビットの２〜４番目のビット（すなわち、第１領域のビット）に設定する。
【００５１】
ステップＳ２０７において、移動局ＵＥは、「Ｖａｌｕｅ  ｔａｇ」内の残りのビットに「０」を設定する。
【００５２】
以上に述べた本実施形態の特徴は、以下のように表現されていてもよい。
【００５３】
本実施形態の第１の特徴は、無線基地局ｅＮＢであって、複数のビットからなる「Ｖａｌｕｅ  ｔａｇ（タグ情報）」を含む報知情報を生成するように構成されている報知情報生成部１１と、報知情報を送信するように構成されている報知情報送信部１２とを具備し、「Ｖａｌｕｅ  ｔａｇ」の値は、複数の第１ビット（第１領域及びフラグのビット）の値のみによって規定されるか、或いは、複数の第１ビット（第１領域及びフラグのビット）の値及び複数のビット内で複数の第１ビット（第１領域及びフラグのビット）よりも下位に位置する第２ビット（第２領域のビット）の値によって規定されるかのいずれかであり、複数の第１ビットは、「Ｖａｌｕｅ  ｔａｇ」に第２ビットが含まれているか否かについて示すフラグを含み、報知情報生成部１１は、報知情報の内容を更新する度に、「Ｖａｌｕｅ  ｔａｇ」の値を更新するように構成されていることを要旨とする。
【００５４】
本実施形態の第１の特徴において、報知情報生成部１１は、報知情報の内容を更新する度に、「Ｖａｌｕｅ  ｔａｇ」の値を、順番に増加又は減少させていくように構成されていてもよい。
【００５５】
本実施形態の第１の特徴において、フラグは、複数の第１ビット内の最下位ビットであり、フラグの値には、「Ｖａｌｕｅ  ｔａｇ」に第２ビットが含まれている場合に「１」が設定され、「Ｖａｌｕｅ  ｔａｇ」に第２ビットが含まれていない場合に「０」が設定され、報知情報生成部１１は、第１ビットのみを含む「Ｖａｌｕｅ  ｔａｇ」の値については、第１ビット及び第２ビットを含む「Ｖａｌｕｅ  ｔａｇ」における第２ビットに対応する部分のビットに「０」が設定されているものとして、「Ｖａｌｕｅ  ｔａｇ」の値を更新するように構成されていてもよい。
【００５６】
本実施形態の第１の特徴において、フラグは、複数の第１ビット内の最上位ビットであってもよい。
【００５７】
本実施形態の第１の特徴において、報知情報送信部１２は、ＳＩＢ１によって、「Ｖａｌｕｅ  ｔａｇ」を送信するように構成されており、報知情報生成部１１
は、ＭＩＢ及びＳＩＢ１の内容が更新された場合であっても、「Ｖａｌｕｅ  ｔａｇ」の値を更新しないように構成されていてもよい。
【００５８】
本実施形態の第１の特徴において、第２ビットは、「Ｖａｌｕｅ  ｔａｇ」を構成する複数のビット内で、複数の第１ビットよりも下位に位置してもよい。
【００５９】
本実施形態の第２の特徴は、移動局ＵＥであって、報知情報を受信するように構成されている報知情報受信部２１と、受信した所定報知情報（ＳＩＢ１）に含まれる「Ｖａｌｕｅ  ｔａｇ」の値が更新されているか否かについて確認するように構成されているＶＴ確認部２２とを具備し、「Ｖａｌｕｅ  ｔａｇ」の値は、複数の第１ビットの値のみによって規定されるか、或いは、複数の第１ビットの値及び第２ビットの値によって規定されるかのいずれかであり、複数の第１ビットは、「Ｖａｌｕｅ  ｔａｇ」に第２ビットが含まれているか否かについて示すフラグを含み、ＶＴ確認部２２は、所定報知情報（ＳＩＢ１）に含まれている第１パラメータ「ｖａｌｕｅＴａｇ１ｓｔ」の値をフラグ以外の第１ビット（第１領域のビット）に設定し、所定報知情報（ＳＩＢ１）に第２パラメータ「ｖａｌｕｅＴａｇ２ｎｄ」が含まれているか否かに基づいてフラグの値を設定し、第２パラメータ「ｖａｌｕｅＴａｇ２ｎｄ」の値を第２ビット（第２領域のビット）に設定することによって、「Ｖａｌｕｅ  ｔａｇ」の値を算出するように構成されており、報知情報受信部２１は、「Ｖａｌｕｅ  ｔａｇ」の値が更新されていることが確認された場合、残りの報知情報を受信するように構成されていることを要旨とする。
【００６０】
本実施形態の第２の特徴において、第２ビットは、「Ｖａｌｕｅ  ｔａｇ」を構成する複数のビット内で、複数の第１ビットよりも下位に位置してもよい。
【００６１】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６５】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「Ｖａｌｕｅ  ｔａｇ」の一例を示す図である。
【図４】本発明の第１の実施形態に係る無線基地局によって送信されるＳＩＢ１の一例を示す図である。
【図５】本発明の第１の実施形態に係る移動局の機能ブロック図である。
【図６】本発明の第１の実施形態に係る移動局の動作を示すフローチャートである。
【図７】本発明の変更例１に係る無線基地局によって送信される「Ｖａｌｕｅ  ｔａｇ」の一例を示す図である。
【図８】本発明の変更例１に係る移動局の動作を示すフローチャートである。
【符号の説明】
【００６６】
ｅＮＢ…無線基地局
１１…報知情報生成部
１２…報知情報送信部
ＵＥ…移動局
【図１】
2010045552.tif 000003
【図２】
2010045552.tif 000004
【図３】
2010045552.tif 000005
【図４】
2010045552.tif 000006
【図５】
2010045552.tif 000007
【図６】
2010045552.tif 000008
【図７】
2010045552.tif 000009
【図８】
2010045552.tif 000010